(57)【要約】【課題】温度や湿度等の変化による反り等が生じ難く、また、事故等により基板が割れる等した場合に、その破片が飛散することを防止できる、平面性が高く、かつ、安全なプリズムシートと、それを用いた透過型スクリーン及び背面投射型表示装置を提供する。【解決手段】第１のガラス基板２１１の両面に第１及び第３の飛散防止層２１２，２１３を一体的に積層し、入射側に設けられた第１の飛散防止層に、単位プリズム２１２ｅが複数配列され形成されたたプリズム部２１２ａを設けることにより、課題を解決するプリズムシート２１０を実現した。さらに、そのプリズムシート２１０と別体のレンチキュラーレンズシート２２０とを組み合わせ、透過型スクリーン２００とし、リアプロジェクションテレビ２に用いることにより課題を解決した。【選択図】図３
2006208588.tif 000002
【特許請求の範囲】
【請求項１】
入射側から投射された映像光を出射側に出射する透過型スクリーンに用いられるプリズムシートであって、
光透過性を有し、剛性の高い高剛性基板層と、
前記高剛性基板層の両面に一体的に積層され、前記高剛性基板層の飛散を防止する飛散防止層と、
前記飛散防止層の少なくとも１つに設けられたプリズム部と、
を備えたプリズムシート。
【請求項２】
請求項１に記載のプリズムシートにおいて、
前記高剛性基板層は、ガラス又は透光性セラミックスにより形成されていること、
を特徴とするプリズムシート。
【請求項３】
請求項１又は請求項２に記載のプリズムシートにおいて、
前記プリズム部は、光が入射する入射面と、前記入射面から入射した光の少なくとも一部を所定の方向に全反射する全反射面とを有する単位プリズムが複数配列されて形成され、前記高剛性基板層の入射側に積層された飛散防止層に設けられること、
を特徴とするプリズムシート。
【請求項４】
請求項１から請求項３までのいずれか１項に記載のプリズムシートにおいて、
光を拡散させる拡散部を有すること、
を特徴とするプリズムシート。
【請求項５】
請求項４に記載のプリズムシートにおいて、
前記拡散部は、前記高剛性基板層より入射側及び出射側に、それぞれ設けられること、
を特徴とするプリズムシート。
【請求項６】
請求項１から請求項５までのいずれか１項に記載のプリズムシートにおいて、
前記プリズム部より出射側に、光を拡散させる拡散光学要素を有すること、
を特徴とするプリズムシート。
【請求項７】
請求項６に記載のプリズムシートにおいて、
前記拡散光学要素は、入射した光の少なくとも一部を所定の方向に全反射させる全反射面を有すること、
を特徴とするプリズムシート。
【請求項８】
請求項１から請求項７までのいずれか１項に記載のプリズムシートにおいて、
前記飛散防止層の少なくとも１つは、拡散、反射防止、防眩、着色、減光、紫外線吸収、帯電防止、防汚、センサー、ハードコートの少なくとも１つの機能を有すること、
を特徴とするプリズムシート。
【請求項９】
請求項１から請求項８までのいずれか１項に記載のプリズムシートにおいて、
前記高剛性基板層と前記飛散防止層とを一体的に接合する接合層を有すること、
を特徴とするプリズムシート。
【請求項１０】
請求項９に記載のプリズムシートにおいて、
前記接合層の少なくとも１つは、光を拡散させる拡散材、紫外線を吸収する紫外線吸収剤の少なくとも１つを含むこと、
を特徴とするプリズムシート。
【請求項１１】
請求項１から請求項１０までのいずれか１項に記載のプリズムシートを用いた透過型スクリーン。
【請求項１２】
請求項１１に記載の透過型スクリーンと、
映像光を投射する光源部と、
前記光源部から投射された映像光を、前記透過型スクリーンに向けて反射させるミラー部と、
を備えた背面投射型表示装置。
【発明の詳細な説明】
【技術分野】
【０００１】
本発明は、光源から投射された映像光を出射側に出射する透過型スクリーンに用いられるプリズムシートと、そのプリズムシートを用いた透過型スクリーン及び背面投射型表示装置に関するものである。
【背景技術】
【０００２】
映像光をスクリーンの背後から投射して表示する背面投射型表示装置では、映像光を拡大投影して表示するスクリーンとして透過型スクリーンが使用されている。この透過型スクリーンは、一般的には、光源から投射される映像光を観察面側へ略平行光となるように屈折させるフレネルレンズシートと、映像光を拡散させるレンチキュラーレンズ等の拡散効果を有するシートとを組み合わせて使用されている。
従来、このような透過型スクリーンに使用されるレンチキュラーレンズシート及びフレネルレンズシートは、アクリル樹脂、ポリカーボネート樹脂等のプラスチック製の基板に、レンズ等の光学要素を積層することにより形成されている。
【０００３】
しかし、プラスチック製の基板は、温度や湿度等、環境の変化によりその厚さや大きさ等が変化しやすい。そのため、シートが反り、フレネルレンズシートとレンチキュラーレンズシートとの間に浮きが生じることがあった。そのような状態の透過型スクリーンに映像光を投射すると、焦点ぼけ、色再現の低下、二重像、画像の歪み等、画質が著しく低下するという問題があった。
特に、薄型のリアプロジェクションテレビでは、透過型スクリーンへの映像光の入射角度が大きいため、スクリーンに生じたわずかな反りや浮きは、画質に与える影響が非常に大きいという問題があった。
また、透過型スクリーンは、大型化すると環境の変化によって生じた反りや浮きによる画像の劣化が小型のものに比べて目立ちやすくなるという問題や、自重により撓みやすくなるという問題があった。
【０００４】
そこで、温度や湿度等の環境の変化による反り等が生じ難いガラス製の基板を用いた透過型スクリーンが開発されてきた。ガラス基板を用いた透過型スクリーンの例としては、例えば、以下に示すような特許文献１から特許文献４があげられる。
特許文献１では、フレネルレンズシート（特許文献１には「フレネルレンズ板」と記載）と、ガラス基板にレンチキュラーレンズ層（特許文献１には「レンチキュラーレンズシート」と記載）が積層されたレンチキュラーレンズシート（特許文献１には「レンチキュラーレンズ板」と記載）とを組み合わせた透過型スクリーンの例を開示している。
しかし、スクリーンの出射側の最前面（最観察側面）がガラス基板となるため、事故等によりガラス基板が割れる等した場合に、ガラスの破片が飛散するという問題があった。
また、特許文献１では、ガラス基板に拡散材を混合して拡散効果を持たせる例が開示されているが、ガラス基板に拡散材を混合することは容易ではなく、生産コストがかかるという問題や、拡散材を混合することにより、ガラス基板が脆くなり、割れやすくなるという問題があった。
【０００５】
特許文献２では、レンチキュラーレンズシートと、フレネルレンズシートを、熱処理により互いに逆方向に凹凸状に曲率を設け、ガラス基板を挟む形で密着して支持する構造を開示している。
しかし、特許文献２に開示された手法は、フレネルレンズシートの入射側にフレネルレンズ形状が設けられたフレネルレンズシートでは可能であるが、フレネルレンズシートの出射側（ガラス基板側）にフレネルレンズ形状が設けられたものでは、ガラス基板とレンズ面とが密着し、レンズ面が擦れるため、適用できないという問題があった。
【０００６】
さらに、特許文献３では、ガラス基板の一方の平面に直接フレネルレンズを成形し、レンチキュラーレンズが成形されたプラスチックシートをもう一方の平面に一体的に積層することにより、スクリーンを形成する例を開示している。
しかし、ガラス基板に直接フレネルレンズを成形することは、技術的に容易ではなく、生産コストがかかるという問題があった。また、プラスチックシートにより保護されるのはガラス基板の片面のみであるため、フレネルレンズが形成された側の平面は保護されておらず、事故等によりガラス基板が割れる等した場合に、ガラスが飛散するという問題や、レンズに傷や汚れが付着するという問題があった。さらに、フレネルレンズ形状の谷部分は、応力が集中しやすく、割れやすいという問題があった。
【０００７】
特許文献４では、ガラス基板表面に紫外線硬化樹脂を塗布し、レンズ層を接着させ、そのレンズ層の表面に保護層として紫外線硬化樹脂を塗布し、入射側及び出射側が完全平板であるフレネルレンズシートを形成し、さらに保護層の上にもう一枚ガラス基板を接着させて耐環境性をあげる例が開示されている。
しかし、特許文献４に開示された手法は、最表面がガラス基板となるため、ガラス基板が割れる等した場合に、その破片が飛散するという問題があった。
【０００８】
【特許文献１】特開２００２−３５７８６８号公報
【特許文献２】特開２００１−１５４２７４号公報
【特許文献３】特開平２−１８３２４１号公報
【特許文献４】特開平２−４２４０１号公報
【発明の開示】
【発明が解決しようとする課題】
【０００９】
本発明の課題は、温度や湿度等の環境の変化による反り等が生じて、画質が劣ることを防止でき、事故により基板が割れる等した場合に、その破片が飛散することを防止できる、平面性が高く、かつ、安全なプリズムシートと、そのプリズムシートを用いた透過型スクリーン及び背面投射型表示装置とを提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、入射側から投射された映像光を出射側に出射する透過型スクリーンに用いられるプリズムシートであって、光透過性を有し、剛性の高い高剛性基板層（２１１，３１１，５１１）と、前記高剛性基板層の両面に一体的に積層され、前記高剛性基板層の飛散を防止する飛散防止層（２１２，２１３，３１２，３１３，５１２，５１３）と、前記飛散防止層の少なくとも１つに設けられたプリズム部（２１２ａ，３１２ａ，５１２ａ）と、を備えたプリズムシート（２１０，３００，５１０）である。
【００１１】
請求項２の発明は、請求項１に記載のプリズムシートにおいて、前記高剛性基板層（２１１，３１１，５１１）は、ガラス又は透光性セラミックスにより形成されていること、を特徴とするプリズムシート（２１０，３００，５１０）である。
【００１２】
請求項３の発明は、請求項１又は請求項２に記載のプリズムシートにおいて、前記プリズム部（２１２ａ，３１２ａ，５１２ａ）は、光が入射する入射面（２１２ｃ）と、前記入射面から入射した光の少なくとも一部を所定の方向に全反射する全反射面（２１２ｄ）とを有する単位プリズム（２１２ｅ）が複数配列されて形成され、前記高剛性基板層（２１１，３１１，５１１）の入射側に積層された前記飛散防止層（２１２，３１２，５１２）に設けられること、を特徴とするプリズムシート（２１０，３００，５１０）である。
【００１３】
請求項４の発明は、請求項１から請求項３までのいずれか１項に記載のプリズムシートにおいて、光を拡散させる拡散部を有すること、を特徴とするプリズムシート（２１０，３００，５１０）である。
【００１４】
請求項５の発明は、請求項４に記載のプリズムシートにおいて、前記拡散部は、前記高剛性基板層（２１１，３１１，５１１）より入射側及び出射側に、それぞれ設けられること、を特徴とするプリズムシート（２１０，３００，５１０）である。
【００１５】
請求項６の発明は、請求項１から請求項５までのいずれか１項に記載のプリズムシートにおいて、前記プリズム部（３１２ａ）より出射側に、光を拡散させる拡散光学要素（３１３ａ）を有すること、を特徴とするプリズムシート（３００）である。
【００１６】
請求項７の発明は、請求項６に記載のプリズムシートにおいて、前記拡散光学要素（３１３ａ）は、入射した光の少なくとも一部を所定の方向に全反射させる全反射面を有すること、を特徴とするプリズムシート（３００）である。
【００１７】
請求項８の発明は、請求項１から請求項７までのいずれか１項に記載のプリズムシートにおいて、前記飛散防止層（２１２，２１３，３１２，３１３，５１２，５１３）の少なくとも１つは、拡散、反射防止、防眩、着色、減光、紫外線吸収、帯電防止、防汚、センサー、ハードコートの少なくとも１つの機能を有すること、を特徴とするプリズムシート（２１０，３００，５００）である。
【００１８】
請求項９の発明は、請求項１から請求項８までのいずれか１項に記載のプリズムシートにおいて、前記高剛性基板層（２１１，３１１，５１１）と前記飛散防止層（２１２，２１３，３１２，３１３，５１２，５１３）とを一体的に接合する接合層（２１４−１，２１４−２，３１４−１，３１４−２，５１４−１，５１４−２）を有すること、を特徴とするプリズムシート（２１０，３００，５１０）である。
【００１９】
請求項１０の発明は、請求項９に記載のプリズムシートにおいて、前記接合層の少なくとも１つは、光を拡散させる拡散材、紫外線を吸収する紫外線吸収剤の少なくとも１つを含むこと、を特徴とするプリズムシートである。
【００２０】
請求項１１の発明は、請求項１から請求項１０までのいずれか１項に記載のプリズムシートを用いた透過型スクリーン（２００，３００，５００）である。
【００２１】
請求項１２の発明は、請求項１１に記載の透過型スクリーン（２００，３００，５００）と、映像光を投射する光源部（２２）と、前記光源部から投射された映像光を、前記透過型スクリーンに向けて反射させるミラー部（３２）と、を備えた背面投射型表示装置（２）である。
【発明の効果】
【００２２】
本発明によれば、以下の効果を奏することができる。
（１）プリズムシートは、光透過性を有し、剛性が高い高剛性基板層を備えることにより、温度や湿度等の環境の変化による反りや、自重による撓み等を防止できる。
また、プリズムシートは、その高剛性基板層の両面に、飛散防止層が一体的に積層されているので、プリズムシートを単体で扱う作業中等に、誤って高剛性基板層を破損した場合に、その破片が飛散せず安全である。さらに、このプリズムシートは、背面投射型表示装置の透過型スクリーンに用いた場合に、衝突等の事故により高剛性基板層が割れる等した場合にも、その破片は飛散せず、安全な透過型スクリーン、背面投射型表示装置を提供できる。
【００２３】
（２）高剛性基板層は、ガラス又は透光性セラミックスにより形成されているので、温度や湿度等の環境の変化による反りや自重による撓み等が生じ難い、平面性の高いプリズムシートを提供できる。
また、ガラス製又は透光性セラミックス製の基板は、衝突等の事故により割れる等した場合に、その破片が飛散し危険であるが、本発明による高剛性基板層は、その両面が飛散防止層によって覆われた形態となっており、割れたり、ひびが入ったりした場合に、その破片は飛散せず、安全である。
【００２４】
（３）プリズム部は、高剛性基板層の入射側に積層された飛散防止層に設けられ、光源部から投射された映像光の入射角度が大きい場合にも、映像光を出射側へ略平行光として出射できる。よって、プリズム部は、透過型スクリーンに用いることにより、奥行きの小さい薄型の背面投射型表示装置を提供することができる。
【００２５】
（４）拡散部は、光を拡散させる効果を有するので、シンチレーション（画面のぎらつき）の低減、視野角の拡大、拡散の均一性の向上等の効果が期待できる。
【００２６】
（５）拡散光学要素は、プリズム部より出射側に設けられ、光を拡散させる効果を有するので、特に拡散効果の大きいものである場合には、プリズムシート単体で１枚の透過型スクリーンとして使用できるので、スクリーンを薄型化、軽量化できる。
【００２７】
（６）飛散防止層は、少なくとも１つが、拡散、反射防止、防眩、着色、減光、紫外線吸収、帯電防止、防汚、センサー、ハードコート等の少なくとも１つの機能を有するので、高剛性基板層が割れる等した場合の破片の飛散防止効果に加えて、画質の向上や、スクリーンの保護、機能性の向上等の効果が期待できる。
【００２８】
（７）接合層は、高剛性基板層と飛散防止層とを一体的に接合するので、事故等により高剛性基板層が割れる等した場合に、その破片が飛散することを防止する飛散防止層の効果を高めることができる。
また、接合層は、少なくとも１つが、光を拡散させる拡散材、紫外線を吸収する紫外線吸収剤の少なくとも１つを含む。よって、接合層は、飛散防止層にこれらを混合することができない場合に、拡散材を含むことにより光を拡散させて画面のぎらつきを低減でき、また、紫外線吸収材を含むことにより紫外線によるスクリーンの黄変を防止できる。
【発明を実施するための最良の形態】
【００２９】
本発明は、温度や湿度等、環境の変化による反りや自重による撓み等が生じ難く、事故等により基板が割れる等した場合に、その破片が飛散しない安全なプリズムシートと、透過型スクリーン及び背面投射型表示装置とを提供するという目的を、ガラス製の基板を用い、その両面に飛散防止層を一体的に積層し、その一方の飛散防止層に、映像光が入射する入射面と入射面から入射した光を所定の方向に全反射させる全反射面とを有する単位プリズムが複数配列されたプリズム部を設けたプリズムシートとすることにより実現した。さらに、このプリズムシートと別体のレンチキュラーレンズシートとを組み合わせて１組の透過型スクリーンとし、背面投射型表示装置にその透過型スクリーンを用いた。
【実施例１】
【００３０】
図１は、本発明によるプリズムシートを用いた実施例１の透過型スクリーンを示す図である。
図２は、実施例１の透過型スクリーンを用いたリアプロジェクションテレビの断面図である。
透過型スクリーン２００は、図１に示すように、映像光Ｌの入射側（光源側）に設けられたフレネルレンズシート２１０と、映像光Ｌの出射側（観察面側）に設けられたレンチキュラーレンズシート２２０とを備え、これらを組み合わせることにより１組のスクリーンとして形成され、映像光Ｌの結像面に配置される。
リアプロジェクションテレビ２は、図２に示すように、光源部２２、ミラー部３２、透過型スクリーン２００等を備えた背面投射型表示装置である。このリアプロジェクションテレビ２は、透過型スクリーン２００の観察面側（出射側）とは反対側に設けられた、ＤＭＤを用いた単管方式の光源部２２から投射された映像光Ｌを、ミラー部３２で反射させ、透過型スクリーン２００に投射して表示する。ここで、光源部２２は、透過型スクリーン２００の下方から映像光Ｌを投射するため、映像光Ｌが透過型スクリーン２００に入射する入射角度は大きい。
【００３１】
図３は、本発明によるプリズムシートを用いた実施例１の透過型スクリーンの層構成を模式的に示した図である。
映像光Ｌは、図中の矢印で示され、図中の右側から透過型スクリーン２００に入射し、図中の左側から出射する。また、図中において、白抜きの円が分布した層は、その層が後述する拡散材を含むことを示す。
【００３２】
（プリズムシート）
本発明によるプリズムシート２１０は、第１のガラス基板２１１、第１の飛散防止層２１２、第３の飛散防止層２１３、接合層２１４−１，２１４−２を有し、透過型スクリーン２００の入射側に設けられている。
第１のガラス基板２１１は、光透過性を有し、剛性の高い高剛性基板層であり、ケイ酸塩ガラスにより形成された厚さ２ｍｍのガラス板である。本実施例では、ガラス板の厚さを２ｍｍとしたが、これに限らず、１．５〜３ｍｍの範囲内であれば特に限定しない。
この第１のガラス基板２１１は、波長帯域４００〜７００ｎｍの光の透過率が９０％以上である。
【００３３】
接合層２１４−１，２１４−２は、第１のガラス基板２１１と、後述する第１の飛散防止層２１２、第３の飛散防止層２１３とを一体的に接合するための層であり、紫外線を照射することにより硬化する紫外線硬化型のアクリル樹脂により形成され、その厚さは１００μｍである。
【００３４】
第１の飛散防止層２１２は、接合層２１４−１を介して第１のガラス基板１２１の入射側に積層された部材であり、第１のガラス基板１２１が割れる等したときに、その飛散を防止する機能を有する。
この第１の飛散防止層２１２は、予め、プリズム基材部２１２ｂの片面に、プリズム部２１２ａが一体的に形成されたものを、第１のガラス基板２１１に積層している。
【００３５】
プリズム基材部２１２ｂは、第１の飛散防止層２１２のベースとなる厚さ２００μｍのシート状の部材であり、光を拡散させる拡散材として、ガラスビーズが略均一に混合されたアクリル樹脂により形成され、拡散部としての機能を有する。ガラスビーズは、拡散が光の波長に依存しないように、直径１μｍ以上のものを用いる。
ここで、拡散部とは、基材となる部材に対し、有機又は無機の化合物の粒子を練りこむ、または、その表面に有機又は無機の化合物の粒子をコーティングする、または、その表面に微細な凹凸形状を設ける等により、光を拡散させる機能が付与された部分である。
【００３６】
図４は、プリズム部の断面図である。
プリズム部２１２ａは、図４に示すように、映像光Ｌが入射する入射面２１２ｃと、入射面２１２ｃから入射した光の少なくとも一部が全反射する全反射面２１２ｄとを有する複数の単位プリズム２１２ｅが、図１に示すように、フレネルレンズシート２１０の外部にある中心Ｐから同心円状に配列され、プリズム基材部２１２ｂの入射側に形成されている。
【００３７】
プリズム部２１２ａは、プリズム部２１２ａの逆型形状を有する不図示のプリズム成型用金型を加温し、紫外線硬化型樹脂を金型面に塗布し、塗布した紫外線硬化型樹脂の温度を保ちながら、金型に充填された紫外線硬化型樹脂の上にプリズム基材部２１２ｂを加圧積層し、紫外線を照射して樹脂を硬化させ、金型から剥離することによりプリズム基材部２１２ｂに一体的に形成されている。紫外線硬化型樹脂は、特に限定しないが、ウレタンアクリレート、エポキシアクリレート等が好ましい。
【００３８】
第３の飛散防止層２１３は、図３に示すように、第１のガラス基板２１１の出射側に接合層２１４−２を介して一体的に積層された部材であり、第１のガラス基板２１１が割れる等したときに飛散を防止する機能を有する。
この第３の飛散防止層２１３は、ポリエチレンテレフタレート樹脂等にガラスビーズ等を拡散材として略均一に混合して形成された厚さ１８８μｍのシート状の部材であり、拡散部としての機能を有する。
【００３９】
（レンチキュラーレンズシート）
次に、レンチキュラーレンズシート２２０について説明する。
レンチキュラーレンズシート２２０は、図３に示すように、第２のガラス基板２２１、第２の飛散防止層２２３、第４の飛散防止層２２２、接合層２２４−１，２２４−２を有する。
第２のガラス基板２２１は、光透過性を有し、剛性の高い高剛性基板層である。この第２のガラス基板２２１は、第１のガラス基板２１１と同様に、ケイ酸塩ガラスにより形成された厚さ２ｍｍのガラス板であり、波長帯域４００〜７００ｎｍの光の透過率が９０％以上である。
接合層２２４−１，２２４−２は、第２のガラス基板２２１と、第４の飛散防止層２２２、第２の飛散防止層２２３とを一体的に接合するための層であり、紫外線硬化型のアクリル樹脂により形成された厚さ１００μｍの層である。
【００４０】
第４の飛散防止層２２２は、第２のガラス基板２２１の入射側に接合層２２４−１を介して一体的に積層された部材であり、第２のガラス基板２２１が割れる等したときにその飛散を防止する機能を有している。
この第４の飛散防止層２２２は、予め、レンチキュラー基材部２２２ｂの一方の面に、熱可塑性樹脂を用いてレンチキュラーレンズ部２２２ａが一体的に形成され、もう一方の面に、光を吸収する光吸収部２２２ｃが形成されたものを、第２のガラス基板２２１に積層している。本実施例において、レンチキュラーレンズ部２２２ａは、熱可塑性樹脂を用いて形成される例を示したが、これに限らず、プリズム部２１２ａと同様に、紫外線硬化型樹脂等を用いて形成してもよい。
【００４１】
レンチキュラーレンズ部２２２ａは、レンチキュラー基材部２２２ｂの入射側の面に一体的に形成された拡散光学要素である。拡散光学要素とは、光を拡散する効果を有するレンズ又はプリズム形状の光学要素である。
このレンチキュラーレンズ部２２２ａは、水平方向への拡散効果を有する単位レンズが複数配列され、形成されている。この単位レンズは、断面が略楕円形状の出射側に突出した形状であり、入射した光の少なくとも一部を屈折する屈折面を有する単位光学形状である。
光吸収部２２２ｃは、レンチキュラー基材部２２２ｂの出射側の面の映像光が通過しない領域に、透過型スクリーン２００の垂直方向の縞状に配置されている。
【００４２】
第２の飛散防止層２２３は、第２のガラス基板２２１の出射側に、接合層２２４−２を介して一体的に接合され、第２のガラス基板２２１が割れる等したときに、その飛散を防止する機能を有する。
また、第２の飛散防止層２２３は、拡散材としてガラスビーズが略均一に混合されポリエチレンテレフタレート樹脂等により形成された厚さが１８８μｍの部材であり、光を拡散させる拡散部としての機能を有する。
【００４３】
本発明によるプリズムシート２１０とレンチキュラーレンズシート２２０とを組み合わせて、１組の透過型スクリーン２００とすることにより、以下のような効果が得られる。
本発明によるプリズムシート２１０と、レンチキュラーレンズシート２２０は、その基板として、第１、第２のガラス基板２１１，２２１が用いられている。よって、温度や湿度等の環境の変化による反りや浮き、自重による撓み等が生じ難い。よって、反りや撓みにより生じる画像の歪みを防止でき、平面性が高いことにより、高画質の画像を得られる透過型スクリーンを提供できる。
【００４４】
また、プリズムシート２１０、レンチキュラーレンズシート２２０は、その第１、第２のガラス基板２１１，２２１の両面に、それぞれ第１及び第３の飛散防止層２１２，２１３、第２及び第４の飛散防止層２２２，２２３が一体的に積層されている。よって、それぞれのシートを単体で扱う作業中等に、誤って第１及び第２のガラス基板が割れる等した場合に、その破片が飛散することはなく、安全である。
【００４５】
さらに、このようなフレネルレンズシート２１０及びレンチキュラーレンズシート２２０を用いた透過型スクリーン２００は、その最入射側面及び最出射側面は、第１及び第２の飛散防止層２１２，２２３で覆われる形態となる。従って、衝突等の事故により第１及び第２のガラス基板２１１，２２１が割れたり、ひびが入ったりした場合に、その破片が飛散することを防止でき、安全である。
【００４６】
リアプロジェクションテレビ２は、光源部２２が透過型スクリーン２００の下方に設けられるため、光源部２２から投射された映像光Ｌが透過型スクリーン２００に入射する入射角度は大きい。しかし、プリズム部２１２ａを透過型スクリーン２００の入射側に設けることにより、映像光Ｌを反射させ、観察面側（出射側）へ略平行光として出射できるので、リアプロジェクションテレビ２の奥行きを小さくし、薄型にすることができる。
【００４７】
また、リアプロジェクションテレビ２は、映像光Ｌの透過型スクリーン２００への入射角度が大きいため、透過型スクリーン２００の僅かな反りや浮き等により生じる画像の劣化等の影響は、非常に大きい。特に、透過型スクリーン２００の上辺部等の光源部２２から遠い点になるほど、透過型スクリーン２００の反り等による影響は大きく、画質の劣化は大きい。
【００４８】
しかし、本発明によるプリズムシート２１０と、レンチキュラーレンズシート２２０とを用いることにより、透過型スクリーン２００は、温度や湿度等の環境の変化による反りや自重による撓み等が生じることなく、平面性が向上するので、リアプロジェクションテレビ２のように、映像光Ｌの入射角度が大きい場合にも、高画質の画像が得られる透過型スクリーンを提供できる。
【００４９】
レンチキュラー基材部２２２ｂ及び第２の飛散防止層２２３は、ガラスビーズ等の拡散材を混合して拡散部とすることにより、視野角の拡大や、拡散の均一性の向上等の効果に加え、ＤＭＤ等の光源部２２が単管方式の光源の場合に生じやすいシンチレーション（画面のぎらつき）を低減することができ、高画質の画像を観察者に提供することができる。
【００５０】
また、プリズム基材部２１２ｂ、レンチキュラー基材部２２２ｂは、ガラスビーズを拡散材として略均一に混合して拡散部としての機能を付与することにより、拡散効果を有する拡散層を別層で設けずともよく、透過型スクリーン２００全体の層数を減らすことができる。よって、透過型スクリーン２００を薄く、軽量化でき、その製造工程も簡単にすることができる。
【００５１】
（実施例１の変形例）
（１）図５は、本発明によるプリズムシートの変形例の層構成を模式的に示した図である。
本実施例において、プリズムシート２１０は、プリズム基材部２１２ｂ、第３の飛散防止層２１３にガラスビーズを拡散材として略均一に混合し、拡散部としての機能を付与する例を示したが、これに限らず、拡散部としての機能を付与する層やその数は、特に限定しない。
例えば、プリズムシート２１０は、図５に示すように、プリズム基材部２１２ｂに拡散材を混合せず（プリズム基材部２１２−ｂ）、接合層２１４−１に拡散材を混合して拡散部（接合層２１４−１−２）としてもよいし、図示しないが、接合層２１４−２に拡散材を混合して拡散部としてもよい。
また、図示しないが、プリズムシート２１０は、プリズム基材部２１２ｂに拡散材を混合せず、第３の飛散防止層２１３の表面に微細な凹凸形状を設けて拡散効果を持たせ、拡散部としてもよい。このとき、第３の飛散防止層と空気との屈折率差は大きくなるように設けるとよい。また、この例に限らず、層の表面に微細な凹凸形状を設けて拡散部としての機能を付与する場合は、その凹凸形状が設けられた境界面で隣接する２つの層の屈折率差は大きいほうが好ましい。
さらに、図示しないが、プリズムシート２１０は、第３の飛散防止層２１３に、弱い拡散効果を有するシートを用いてもよく、例えば、汎用の拡散シートを用いてもよいし、垂直方向に光を拡散する効果を有するレンチキュラーレンズが形成された光学シート等を用いてもよい。
【００５２】
（２）図６、図７、図８は、実施例１の透過型スクリーンにおけるレンチキュラーレンズシートの変形例の層構成を模式的に示した図である。
本実施例において、レンチキュラーシート２２０は、レンチキュラー基材部２２２ｂと第２の飛散防止層２２３とに拡散材を略均一に混合して拡散部としての機能を付与する例を示したが、拡散部としての機能を付与する層やその数は、特に限定しない。以下には、例として、拡散部としての機能を２ヶ所設ける場合の層構成を示すが、この限りではない。
レンチキュラーレンズシート２２０は、第２のガラス基板２２１の入射側及び出射側にそれぞれ拡散部を設ける例として、レンチキュラー基材部２２２ｂに拡散材を混合せず（レンチキュラー基材部２２２ｂ−２）、図６（ａ）に示すように、ポリエチレンテレフタレート樹脂にガラスビーズ等の拡散材を略均一に混合して形成された厚さ１８８μｍの拡散層２２５−１を、第４の飛散防止層２２２と第２のガラス基板２２１との間に、接合層２２４−３，２２４−４を介して積層してもよい。
また、レンチキュラーレンズシート２２０は、前述のように拡散層２２５−１を設け、図６（ｂ）に示すように、第２の飛散防止層２２３に拡散材を混合せず（第２の飛散防止層２２３−２）、第２のガラス基板２２１と第２の飛散防止層２２３−２との間に設けられた接合層２２４−２に拡散材を混合して拡散部（２２４−２−２）としてもよいし、図６（ｃ）に示すように、第２の飛散防止層２２３に拡散材を混合せず、その表面に微細な凹凸形状を設けて、拡散部（第２の飛散防止層２２３−３）としてもよい。
【００５３】
レンチキュラーレンズシート２２０は、第２の飛散防止層２２３に拡散材を混合せず（第２の飛散防止層２２３−２）、図６（ｄ）に示すように、第２のガラス基板２２１と第２の飛散防止層２２３−２との間に、接合層２２４−５，２２４−６を介して、拡散層２２５-２を積層してもよい。
また、レンチキュラーレンズシート２２０は、前述のように拡散層２２５−２を設け、図６（ｅ）に示すように、レンチキュラー基材部２２２ｂに拡散材を混合せず（レンチキュラー基材部２２２ｂ−２）、第２のガラス基板２２１と第４の飛散防止層２２２との間に設けられた接合層２２４−１に拡散材を略均一に混合して拡散部（接合層２２４−１−２）としてもよい。
さらに、レンチキュラーレンズシート２２０は、前述のように拡散層２２５−２を設け、図６（ｆ）に示すように、レンチキュラー基材部２２２ｂに拡散材を混合せず、その表面に微細な凹凸形状を設けて拡散部（レンチキュラー基材部２２２ｂ−３）としてもよい。
【００５４】
拡散層を別層で設けない場合、レンチキュラーレンズシート２２０は、図７（ｇ）に示すように、第２の飛散防止層２２３に拡散材を混合せず、その表面に微細な凹凸形状を設けて拡散部（第２の飛散防止層２２３−３）としてもよい。また、図７（ｈ）に示すように、第２の飛散防止層２２３に拡散材を混合せず（第２の飛散防止層２２３−２）、第２のガラス基板２２１と第２の飛散防止層２２３との間に設けられた接合層２２４−２に、拡散材を略均一に混合して拡散部（接合層２２４−２−２）としてもよい。図示しないが、このとき、レンチキュラー基材部２２２ｂは、拡散材を混合せずに、その表面に微細な凹凸形状を設けて拡散部としてもよい。
【００５５】
また、レンチキュラーレンズシート２２０は、レンチキュラー基材部２２２ｂに拡散材を混合せず（レンチキュラー基材部２２２ｂ−２）、図７（ｉ）に示すように、接合層２
２４−１に拡散材を混合して拡散部（接合層２２４−１−２）としてもよいし、図７（ｊ）に示すように、接合層２２４−１に拡散材を混合して拡散部（接合層２２４−１−２）とし、第２の飛散防止層２２３に拡散材を混合せず、その表面に微小な凹凸形状を設けて拡散部（第２の飛散防止層２２３−３）としてもよい。
さらに、レンチキュラーレンズシート２２０は、図７（ｋ）に示すように、レンチキュラー基材部２２３ｂ及び第２の飛散防止層２２３に拡散材を混合せず（レンチキュラー基材部２２２ｂ−２、第２の飛散防止層２２３−２）、第２のガラス基板２２１と第４及び第２の飛散防止層２２２，２２３とを一体的に積層する接合層２２４−１，２２４−２に拡散材を混合して拡散部（接合層２２４−１−２，２２４−２−２）としてもよい。
第２のガラス基板２２２より入射側に拡散部を２ヶ所設ける例として、レンチキュラーレンズシート２２０は、図８（ｌ）に示すように、第２の飛散防止層２２３に拡散材を混合せず（第２の飛散防止層２２３−２）、第２のガラス２２１と第４の飛散防止層２２２との間に、接合層２２４−１，２２４−２を介して、拡散層２２５−２を設けてもよい。このとき、図示しないが、レンチキュラー基材部２２２ｂは、拡散材を混合せずに、その表面に微細な凹凸形状を設けて拡散部としてもよい。
【００５６】
以上のような手法を用いて、透過型スクリーン２００全体として、拡散効果を有する拡散部としての機能を、プリズム部２１２ａより出射側の隣接しない層に２ヶ所以上付与することにより、視野角の拡大や、拡散の均一性の向上、シンチレーションの低減等の効果が期待でき、画質の向上を図ることができる。
【００５７】
（３）本実施例において、レンチキュラーレンズ部２２２ａは、その断面が略楕円形状である単位レンズが複数配列された、水平方向への拡散効果を有するレンチキュラーレンズである例を示したが、これに限らず、例えば、マイクロレンズアレイ等を用いてもよい。
【００５８】
（４）本実施例において、レンチキュラーレンズ部２２２ａ、レンチキュラー基材部２２２ｂは、第４の飛散防止層２２２に設けられる例を示したが、これに限らず、図８（ｍ）に示すように、レンチキュラーレンズ部２２３ａ−４、レンチキュラー基材部２２３ｂ−４を、第２の飛散防止層２２３−４に設けてもよい。
図８（ｍ）において、レンチキュラーレンズシート２２０は、レンチキュラー基材部２２３ｂ−４と第４の飛散防止層２２２−２とに拡散材を略均一に混合し、拡散部としての機能を付与する例を示しているが、拡散部としての機能を付与する層とその数は、前述の変形例に示した場合と同様に、特に限定しない。
【実施例２】
【００５９】
図９は、本発明によるプリズムシートを用いた実施例２の透過型スクリーンを示す図である。
実施例２の透過型スクリーン５００は、光源部２２側に設けられたプリズムシート５１０と、観察面側に設けられた拡散光学シート５２０とを備え、これらを組み合わせることにより、１組の透過型スクリーンとして形成されている。
また、この透過型スクリーン５００は、実施例１の透過型スクリーン２００と略同様に、図２に示すリアプロジェクションテレビ２に用いられる。
【００６０】
図１０は、本発明によるプリズムシートを用いた実施例２の透過型スクリーンの層構成を模式的に示した図である。
映像光Ｌは、図中の矢印で示され、図中の右側から透過型スクリーン５００に入射し、図中の左側から出射する。また、図中において、白抜きの円が分布した層は、光を拡散させる拡散材を含むことを示す。
【００６１】
プリズムシート５１０は、実施例１に示したプリズムシート２１０と同一の部材であり、本実施例のプリズムシート５１０における第１のガラス基板５１１、第１の飛散防止層５１２、第３の飛散防止層５１３、接合層５１４−１，５１４−２は、実施例１のプリズムシートにおける第１のガラス基板２１１、第１の飛散防止層２１２、第３の飛散防止層２１３、接合層２１４−１，２１４−２にそれぞれ対応し、同様の機能を有する。よって、重複する説明は省略する。
【００６２】
（拡散光学シート）
拡散光学シート５２０は、透過型スクリーン５００の出射側に設けられ、第２のガラス基板５２１、第２の飛散防止層５２３、第４の飛散防止層５２２、接合層５２４−１，５２４−２を有し、入射した映像光の少なくとも一部を全反射させて拡散する光学シートである。
第２のガラス基板５２１は、光透過性を有し、剛性の高い高剛性基板層である。この第２のガラス基板は、ケイ酸塩ガラスによって形成された厚さ３ｍｍのガラス板であり、波長帯域４００〜７００ｎｍの光の透過率が９０％以上である。
【００６３】
接合層５２４−１，５２４−２は、第２のガラス基板５２１と、後述する第４及び第２の飛散防止層５２２，５２３とを一体的に接合するための層であり、圧力により粘着性が顕在化する感圧粘着型のアクリル樹脂により形成され、その厚さは２０μｍである。本実施例において、接合層５２４−１，５２４−２の厚さは、２０μｍとしたが、２０〜３０μｍの範囲であれば、特に限定しない。
【００６４】
第４の飛散防止層５２２は、第２のガラス基板５２１の入射側に接合層５２４−１を介して一体的に積層された部材であり、第２のガラス基板５２１が割れる等したときにその飛散を防止する機能を有する。
第４の飛散防止層５２２は、予め、拡散光学要素基材部５２２ｂの片面に、実施例１に示したプリズム部２１２ａと同様に、紫外線硬化樹脂を用いて拡散光学要素５２２ａを形成したものを、第２のガラス基板５２１積層している。
ここで、拡散光学要素基材部５２２ｂは、第４の飛散防止層５２２のベースとなる厚さ２００μｍのシート状の部材であり、ガラスビーズ等の拡散材が混合されたアクリル樹脂により形成され、拡散部としての機能を有する。
【００６５】
図１１は、拡散光学要素の断面図である。
拡散光学要素５２２ａは、拡散光学要素基材部５２２ｂの出射側の面に、実施例１に示したプリズム部２１３ａと同様に紫外線硬化樹脂により形成された複数の単位光学形状５２２ｃが出射側に突出して配列され、形成されている。
この単位光学形状５２２ｃは、図１１に示すように、その断面が略台形の出射側に突出した形状であり、隣接する単位光学形状との間の断面が三角形状の部分には、光を吸収する光吸収部５２２ｄが形成されている。この光吸収部５２２ｄは、単位光学形状５２２ｃに比べ、屈折率の低い材料により形成されている。
拡散光学要素５２２ａは、単位光学形状５２２ｃの下底部分から入射した光の少なくとも一部を、単位光学形状５２２ｃの斜辺部分５２２ｅで所定の方向に全反射して上底部分から出射させ、拡散させる効果を有する。
【００６６】
第２の飛散防止層５２３は、図１０に示すように、第２のガラス基板５２１の出射側に接合層５２４−２を介して一体的に積層された部材であり、第２のガラス基板５２１が割れる等したときに、その飛散を防止する機能を有する。
この第２の飛散防止層５２３は、ポリエチレンテレフタレート樹脂等にガラスビーズ等の拡散材を混合して形成された厚さ１８８μｍのシート状の部材であり、拡散部としての機能を有する。
【００６７】
本発明によるプリズムシート５１０と、拡散光学シート５２０とを備えることにより、透過型スクリーン５００は、実施例１に示した透過型スクリーン２００と同様に、温度や湿度等の環境の変化による反りや浮き、自重による撓み等が生じ難い、平面性の高い透過型スクリーンとなり、高画質の画像を提供できる。
また、実施例２に示した透過型スクリーン５００は、実施例１に示した透過型スクリーン２００と同様に、第１及び第２のガラス基板５１１，５２１が割れる等した場合、その破片の飛散を防止でき、安全である。
さらに、拡散光学シート５２０に用いられた拡散光学要素５２２ａは、製造が容易であり、高精細のものを作ることができ、低いコストで、高画質の画像を得られる透過型スクリーンを提供できる。
【００６８】
さらにまた、拡散光学シート５２０は、ファインピッチが可能であるので、実施例２の透過型スクリーン５００は、実施例１に示したレンチキュラーレンズシート２２０を用いた透過型スクリーン２００に比べ、高精細、高品位の画像を提供できる。
【００６９】
図１に示すリアプロジェクションテレビ２のように、透過型スクリーンへの映像光Ｌの入射角度が大きい場合、透過型スクリーンの外周部等は、屈折率の波長分散による色分散が発生し、色むらが生じることが問題である。しかし、このようなプリズムシート５１０、拡散光学シート５２０は、光を反射させて出射するので、色分散は発生せず、色むらを低減させることができる。
【００７０】
（実施例２の変形例）
（１）本実施例のプリズムシート５１０は、実施例１に示したプリズムシート２１０と同一の部材である。よって、本実施例のプリズムシート５１０は、その変形例として、実施例１に示したプリズムシート２１０の変形例を用いることができる。
【００７１】
（２）本実施例では、拡散光学シート５２０は、第２の飛散防止層５２３と拡散光学要素基材部５２２ｂとに、拡散材としてガラスビーズを略均一に混合し、拡散部としての機能を付与する例を示したが、拡散部としての機能を付与する層やその数は、特に限定しない。以下に、例を示すが、これに限定されるものではない。
拡散光学要素基材部５２２ｂに拡散材を混合して拡散部とする場合、拡散光学シート５２０は、第２の飛散防止層５２３ではなく、接合層５２４−１又は接合層５２４−２に拡散材を混合し、拡散部としての機能を付与してもよい。
また、第２の飛散防止層５２３が拡散部としての機能を有する場合、拡散光学シート５２０は、拡散光学要素基材部５２２ｂではなく、接合層５２４−１又は接合層５２４−２に拡散材を混合して拡散部としてもよい。
さらに、例えば、拡散光学シート５２０は、拡散光学要素基材部５２２ｂに拡散材を混合して拡散部とし、第２の飛散防止層５２３に、汎用の反射防止シート等を積層し、ポリエチレンテレフタレート樹脂に拡散材を略均一に混合して形成した不図示の拡散層を、第２のガラス基板５２１と第２の飛散防止層５２３との間、または、第２のガラス基板５２１と第４の飛散防止層５２２との間に積層してもよい。このとき、第２の飛散防止層５２３は、汎用の防眩シート等を用いてもよい。
【００７２】
（３）図１２は、実施例２の透過型スクリーンにおける拡散光学シートの変形例の層構成を模式的に示した図である。
本実施例において、拡散光学シート５２０は、拡散光学要素５２２ａ及び拡散光学要素基材部５２２ｂを第４の飛散防止層５２２に設ける例を示したが、これに限らず、例えば、図１２（ａ）に示すように、第２の飛散防止層５２３−２に、拡散光学要素５２３ａ−２、拡散光学要素基材部５２３ｂ−２を設けてもよい。このとき、透過型スクリーン５００は、その最出射側に拡散光学要素５２２ａの光吸収部が設けられる形となり、画像のコントラストの向上の効果が期待できる。
図１２（ａ）において、拡散光学シート５２０は、第２の飛散防止層５２３に設けられた拡散光学要素基材部５２３ｂ−２、第４の飛散防止層５２２−２に拡散材を混合して拡散部としての機能を付与する例を示しているが、拡散部としての機能が付与される層やその数は、これに限らず、特に限定しない。
また、このとき、図１２（ｂ）に示すように、拡散光学シート５２０は、拡散光学要素５２３ａ−２の出射側に、ポリエチレンテレフタレート樹脂等に拡散材を混合して形成された拡散層５２５を、接合層５２４−３を介して一体的に積層することにより、拡散を均一化し、画質の向上を図ってもよい。また、拡散層５２５ではなく、汎用の拡散シート等を積層してもよい。
【実施例３】
【００７３】
図１３は、本発明によるプリズムシートを用いた実施例３の透過型スクリーンを示した図である。
本発明によるプリズムシートを用いた実施例３の透過型スクリーン３００は、実施例１に示したプリズム部２１２ａと同様のプリズム部３１２ａを第１の飛散防止層に有する。しかし、実施例３の透過型スクリーン３００は、別体のレンチキュラーレンズシートを出射側に設けず、プリズム部３１２ａを有する第１の飛散防止層３１２が積層されたガラス基板３１１の出射側に、実施例２に示した拡散光学要素５２２ａと同様の拡散光学要素３１３ａを一体的に積層することにより、１枚の透過型スクリーンとして形成されている。
また、本実施例の透過型スクリーン３００は、実施例１に示した透過型スクリーン２００と同様に、図２に示すリアプロジェクションテレビ２に用いられる。
【００７４】
図１４は、本発明によるプリズムシートを用いた実施例３の透過型スクリーンの層構成を模式的に示した図である。
映像光Ｌは、図中の矢印で示され、図中の右側から透過スクリーン３００に入射し、図中の左側から出射する。図中において、白抜きの円が分布した層は、光を拡散させる拡散層を含むことを示す。  
実施例３の透過型スクリーン３００は、ガラス基板３１１、第１の飛散防止層３１２、第２の飛散防止層３１３、接合層３１４−１，３１４−２を有するプリズムシートである。
ガラス基板３１１は、光透過性を有し、剛性の高い高剛性基板層である。このガラス基板３１１は、ケイ酸塩ガラスにより形成された厚さ３ｍｍのガラス板であり、波長帯域４００〜７００ｎｍの光の透過率が９０％以上である。
【００７５】
接合層３１４−１，３１４−２は、ガラス基板３１１と第１及び第２の飛散防止層３１２，３１３とを一体的に接合するための層であり、感圧粘着型のアクリル樹脂等により形成され、その厚さは２０μｍである。
【００７６】
第１の飛散防止層３１２は、ガラス基板３１１の入射側に接合層３１４−１を介して一体的に積層された層であり、ガラス基板３１１が割れる等したときに、飛散を防止する機能を有する。
この第１の飛散防止層３１２は、予め、プリズム基材部３１２ｂの片面に、実施例１に示したプリズム部２１２ａと同様に紫外線硬化樹脂によりプリズム部３１２ａを一体的に形成したものを、ガラス基板３１１に積層している。
【００７７】
プリズム基材部３１２ｂは、第１の飛散防止層３１２のベースとなる厚さ２００μｍのシート状の部材である。このプリズム基材部３１２ｂは、拡散材としてガラスビーズが略均一に混合されたアクリル樹脂により形成されており、拡散部としての機能を有する。
プリズム部３１２ａは、実施例１に示したプリズム部２１２ｂと同様の形状であり、光が入射する入射面と、入射面からの光の少なくとも一部を全反射させ、出射側へ出射する全反射面とを有する単位プリズムが複数配列され、プリズム基材部３１２ｂの入射側に形成されている。
【００７８】
第２の飛散防止層３１３は、ガラス基板３１１の出射側に接合層３１４−２を介して一体的に接合された部材であり、ガラス基板３１１が割れる等したときに、飛散を防止する層である。
この第２の飛散防止層３１３は、予め、拡散光学要素基材部３１３ｂの片面に、実施例１に示したプリズム２１２ａと同様に、紫外線硬化樹脂を用いて拡散光学要素３１３ａが形成され、ガラス基板３１１に積層している。
【００７９】
拡散光学要素基材部３１３ｂは、第２の飛散防止層３１３のベースとなる厚さ２００μｍのシート状の部材であり、ガラスビーズ等の拡散材が混合されたアクリル樹脂により形成され、拡散部としての機能を有する。
拡散光学要素３１３ａは、拡散光学要素基材部３１３ｂの出射側の面に形成され、実施例２に示した拡散光学要素５２２ａと同様の形状であり、その断面が略台形の出射側に突出した形状である複数の単位光学形状が配列され、形成されている。
【００８０】
このような層構成とすることにより、実施例３の透過型スクリーン３００は、実施例１に示した、平面性の向上による画質の向上、ガラス基板３１１が割れる等した場合の破片の飛散防止効果に加え、以下のような効果が得られる。
実施例３の透過型スクリーン３００は、それぞれ別体のプリズムシートと拡散光学シートとを組み合せることなく、１枚で透過型スクリーンとして使用できるので、透過型スクリーンを薄くし、軽量化することができ、また、生産コストを抑えることができる。
【００８１】
また、それぞれ別体のプリズムシートと拡散光学シートとを組み合わせた透過型スクリーンは、どちらか１枚のシートに反り等が生じた場合に、シート間に浮きが生じるため、像ぼけ等の画像の劣化が生じるという問題がある。しかし、本実施例の透過型スクリーン３００は、１枚で透過型スクリーンとして利用でき、平面性も高いので、浮き等による画質の劣化を防止できる。
【００８２】
リアプロジェクションテレビ２は、光源部２２から投射される映像光の入射角度が大きい。しかし、透過型スクリーン３００は、その入射側にプリズム部３１２ａを設けることにより、映像光を観察面側（出射側）へ略平行光として出射できるので、リアプロジェクションテレビ２の奥行きを小さく、薄型化できる。
【００８３】
（実施例３の変形例）
（１）本実施例において、第２の飛散防止層３１３は、その断面が略台形状である単位光学形状が複数配列された拡散光学要素３１３ａを有する例を示したが、これに限らず、その断面が略楕円状である複数の単位レンズを配列した不図示のレンチキュラーレンズ部等を設けてもよく、その形状は特に限定しない。また、レンチキュラーレンズ部に限らず、強い拡散効果を有する拡散層や、汎用の拡散シート等を用いてもよい。
【００８４】
（２）図１５、図１６は、実施例３の透過型スクリーンの変形例の層構成を模式的に示した図である。
本実施例において、透過型スクリーン３００は、プリズム基材部３１２ｂ、拡散光学要素基材部３１３ｂに、拡散部としての機能を付与する例を示したが、拡散部としての機能を付与する層やその数は、特に限定しない。以下に、例を示すが、この限りではない。
例えば、透過型スクリーン３００は、図１５（ａ）に示すように、ポリエチレンテレフタレート樹脂等に拡散材を混合して形成された厚さ１８８μｍの拡散層３１５−１を、第２の飛散防止層３１３の出射側に接合層３１４−３を介して新たに積層し、拡散の均一性の向上を図ってもよい。また、拡散層３１５−１は、汎用の拡散シート等を用いてもよい。
また、透過型スクリーン３００は、図１５（ｂ）に示すように、第１の飛散防止層３１２とガラス基板３１１との間に、接合層３１４−４，３１４−５を介して、前述の拡散層３１５−１と同様の拡散層３１５−２を新たに積層してもよい。
【００８５】
図１６に示す実施例３の透過型スクリーンの変形例は、実施例３に示した拡散光学要素３１３ａ、拡散光学要素基材部３１３ｂと同様の拡散光学要素３１６ａ、拡散光学要素基材部３１６ｂを有する拡散光学層３１６が、第１の飛散防止層３１２とガラス基板３１１の間に一体的に接合された例である。
透過型スクリーン３００は、図１６（ｃ）に示すように、光を拡散させる拡散部としての機能を有する拡散光学層３１６を、第１の飛散防止層３１２とガラス基板３１１との間に、接合層３１４−６，３１４−７を介して積層してもよい。このとき、接合層３１４−８を介してガラス基板３１１の出射側に接合される第２の飛散防止層３１３−２は、拡散材を混合して拡散部（第２の飛散防止層３１３−２−２）としてもよい。また、第２の飛散防止層３１３−２は、反射防止機能を有する反射防止シートや防眩機能を有する防眩シート等を積層してもよい。さらに、図示しないが、第２の飛散防止層ではなく、接合層３１４−８に、拡散材を略均一に混合して拡散部としてもよい。
【００８６】
また、透過型スクリーン３００は、図１６（ｄ）に示すように、拡散光学層３１６とガラス基板３１１との間に、接合層３１４−９，３１４−１０を介して、拡散層３１５−３を積層し、第２の飛散防止層３１３−２に、汎用の反射防止シートや防眩シート等を用いてもよい。
このとき、ガラス基板３１１と第２の飛散防止層３１２との間の接合層３１４−８は、拡散材を略均一に混合して拡散部（接合層３１４−８−２）としてもよい。
【００８７】
さらに、透過型スクリーン３００は、図１６（ｅ）に示すように、拡散層３１５−３を設け、第２の飛散防止層３１３−２とガラス基板３１１との間に、接合層３１４−１１，３１４−１２を介して、拡散層３１５−４を積層してもよい。このとき第２の飛散防止層３１３−２は、汎用の反射防止シートや防眩シート等を積層してもよい。
【００８８】
（実施例１から実施例３に共通の変形例）
以上説明した実施例に限定されることなく、種々の変形や変更が可能であって、それらも本発明の均等の範囲内である。
（１）図１７は、本発明によるプリズムシートを用いた透過型スクリーンの変形例の層構成を模式的に示した図である。
実施例１において、透過型スクリーン２００に用いられるレンチキュラーレンズシート２２０は、第２のガラス基板２２１を用いる例を示したが、これに限らず、図１７に示すプラスチック基板２４１を用いたレンチキュラーレンズシート２４０を用いてよい。
レンチキュラーレンズシート２４０は、プラスチック基板２４１の入射側表面に、紫外線硬化型樹脂等により、断面が略楕円形状の単位レンズが複数配列されたレンチキュラーレンズ部２４２が一体的に形成され、プラスチック基板２４１の出射側表面の映像光Ｌの通過しない領域に、縞状に形成された光吸収部２４５を有し、さらに、その出射側に、接合層２４４を介して、前面板２４３が一体的に接合され、形成されている。
【００８９】
このプラスチック基板２４１は、例えば、アクリル樹脂、ポリスチレン樹脂、メチルメタクリレートスチレン共重合樹脂（ＭＳ樹脂）、メチルメタクリレートブタジエンスチレン共重合樹脂（ＭＢＳ樹脂）等により形成された厚さ０．２ｍｍの板状の部材である。図示しないが、このプラスチック基板２４１は、ガラスビーズ等の拡散材を混合することにより、拡散部としての機能を付与してもよい。プラスチック基板２４１に拡散材を混合することは、技術的に容易であり、生産コストを抑えることができる。
【００９０】
接合層２４４は、紫外線硬化型のアクリル樹脂等により形成され、その厚さは１００μｍである。
前面板２４３は、例えば、ポリスチレン樹脂、メチルメタクリレートスチレン共重合樹脂（ＭＳ樹脂）、メチルメタクリレートブタジエンスチレン共重合樹脂（ＭＢＳ樹脂）等に、ガラスビーズ等の拡散材が混合されて形成された板状の部材である。その厚さは、２〜３ｍｍであれば特に限定しない。また、この前面板２４３は、図１７において、単層構造である例を示したが、ガラスビーズ等の拡散材を含む拡散層と、拡散材を含まない層との２層構造や、さらに、反射防止機能を有する反射防止シート等を積層した多層構造としてもよい。
【００９１】
このレンチキュラーレンズシート２４０は、アクリル樹脂等により形成されたプラスチック基板２４１及び前面板２４３を用いているため、透過型スクリーンの軽量化が可能であるが、環境の変化による反りや浮き等が生じやすい。これを防止するために、レンチキュラーレンズシート２４０は、プリズムシート２１０側に凸状となる曲率を設けて、プリズムシート２１０と組み合わせ、１組の透過型スクリーンとしてもよい。このように設けることにより、レンチキュラーレンズシート２４０は、その平面性を保つことができる。
また、実施例２に示した透過型スクリーン５００における拡散光学シート５２０も、同様に、第２のガラス基板５２１を用いず、プラスチック製の基板の表面に紫外線硬化型樹脂等により拡散光学要素を一体的に形成した拡散光学シートとしてもよい。
【００９２】
（２）各実施例において、光を拡散させる拡散部を設ける手法として、プリズム基材部２１２ｂ，３１２ｂ，５１２ｂ、レンチキュラー基材部２２２ｂ、拡散光学基材部３１３ｂ，５２２ｂ、第２の飛散防止層２２３，５２３、第３の飛散防止層２１３，５１３は、拡散材としてガラスビーズ等を略均一に混合し、拡散効果を持たせ、拡散部とする例を示したが、これに限らず、例えば、接合層２１４−１，２１４−２，２２４−１，２２４−２，３１４−１，３１４−２，５１４−１，５１４−２，５２４−１，５２４−２等に、拡散材を混合して拡散部としてもよい。
また、これらの層は、その表面に微細な凹凸形状を設けることにより拡散効果を持たせ、拡散部としてもよい。
さらに、これらの層に、拡散材を略均一に混合し、さらにその表面に微細な凹凸形状を設けて拡散部としてもよい。微細な凹凸形状を設けて拡散効果を付与する場合、微細な凹凸形状を有する層と隣接する層との屈折率差は、大きいほうが拡散効果は大きくなり、好ましい。
拡散材は、ガラスビーズに限らず、光の波長に依存しない大きさであれば、例えば、プラスチック等の有機系化合物により形成された粒子等でもよく、特に限定はしない。
【００９３】
（３）各実施例において、透過型スクリーン２００，３００，５００全体として、拡散効果を有する拡散部としての機能は、隣接しない層に２層以上付与されることにより、拡散の均一性の向上、視野角拡大、シンチレーションの低減の効果がより期待できる。また、拡散部は、２層以上に分散して設けることにより、混合する拡散材の量を減らすことができる。
なお、拡散部を設ける層は、特に限定しないが、第１、第２のガラス基板２１１，２２１，５１１，５２１、ガラス基板３１１は、拡散材を混合させると、脆くなり、割れやすくなるので好ましくない。
【００９４】
（４）各実施例において、光源部２２は、ＤＭＤを用いた単管方式の光源である例を示したが、これに限らず、例えば、ＬＣＤ等を用いた単管方式の光源でもよい。
【００９５】
（５）各実施例において、プリズム基材部２１２ｂ，３１２ｂ，５１２ｂ、レンチキュラー基材部２２２ｂ、拡散光学要素基材部３１３ｂ，５２３ｂは、アクリル樹脂により形成されたシート状の部材である例を示したが、これに限らず、例えば、ポリエステル樹脂、ポリエチレン樹脂、ポリカーボネート樹脂等材料として形成してもよく、特にその材料は限定しない。
また、光源部２２が、ＬＣＤ等の偏光依存性を有する光源である場合、プリズム基材部２１２ｂ，３１２ｂ，５１２ｂ、レンチキュラー基材部２２２ｂ、拡散光学要素基材部３１３ｂ，５２５ｂは、トリアセチルセルロース等のセルロース系樹脂により形成されたシート状の部材や無延伸のポリカーボネード板等の複屈折性の低い部材を用いて、迷光を低減し、画質の向上を図ってもよい。
【００９６】
（６）実施例１から実施例３において、プリズム部２１２ａ，５１２ａ、拡散光学要素３１３ａ、５２２ａは、紫外線硬化樹脂により、それぞれ、プリズム基材２１２ｂ，５１２ｂ、拡散光学要素基材部３１３ｂ，５２２ｂに一体的に形成されている例を示し、実施例１において、レンチキュラーレンズ部２２２ａは、熱可塑性樹脂により、レンチキュラー基材部２２２ｂに一体的に形成されている例を示したが、これに限らず、熱硬化性樹脂等により形成してもよい。また、成形方法は、押し出し成形等により、各基材部と一体的に成形してもよく、その成形方法は特に限定しない。
【００９７】
（７）実施例１及び実施例２において、第２の飛散防止層２２３，５２３は、拡散材としてガラスビーズ等が略均一に混合され、拡散部としての機能を有する例を示したが、これに限らず、例えば、反射防止、防眩、着色（Ｔｉｎｔ）、減光（ＮＤ）、紫外線吸収、帯電防止、防汚、センサー、ハードコート等の少なくともひとつの機能を有すればよく、その場合は以下のような効果が期待できる。
第２の飛散防止層２２３，５２３は、最も出射側（最観察面側）に積層されているので、反射防止機能を有する場合は、外光の映り込みを防止する効果がある。紫外線吸収機能を有する場合は、外光に含まれる紫外線により、スクリーンの黄変を防止する効果がある。防眩機能を有する場合は、シンチレーション（画面のぎらつき）を抑制することができる。ハードコート機能を有する場合は、透過型スクリーンに傷が付くことを防止し、その強度をあげる効果がある。帯電防止機能を有する場合は、透過型スクリーンに生じる静電気を除去し、埃等の付着を防止できる。防汚機能を有する場合は、透過型スクリーン表面に汚れが付くことを防止できる。着色（Ｔｉｎｔ）及び減光（ＮＤ）機能を有する場合は、コントラストを向上させ、画質の向上を図ることができる。センサー機能を有する場合は、タッチセンサー等に利用できる。
【００９８】
また、第２の飛散防止層２２３，５２３は、拡散、反射防止、防眩、着色（Ｔｉｎｔ）、減光（ＮＤ）、紫外線吸収、帯電防止、防汚、センサー、ハードコート等の機能を有する市販の汎用シートを積層してもよい。また、アクリル樹脂等に、これらの機能の少なくとも１つを有するように加工を施してもよい。また、それぞれの機能を有するシート等を複数枚積層してもよいし、複数の機能を有するように処理を施してもよいし、特に限定はしない。
さらにまた、第２の飛散防止層２２３，５２３に限らず、他の飛散防止層にも、適宜このような機能を持たせてもよい。
【００９９】
（８）実施例１及び実施例２において、第１のガラス基板２１１，５１１、第２のガラス基板２２１は、ケイ酸塩ガラスにより形成された厚さ２ｍｍのガラス板である例を示し、実施例２及び実施例３において、第２のガラス基板５２１、ガラス基板３１１は、ケイ酸塩ガラスにより形成された厚さ３ｍｍのガラス板である例を示したが、これに限らず、剛性が高く、光透過性を有するならば、例えば、無アルカリガラス、リン酸塩ガラス、ホウ酸塩ガラス、ソーダ石灰ガラス、カリガラス、石英ガラス、鉛ガラス、バリウムガラス、ホウケイ酸ガラス、リン酸系ガラス等により形成されたガラス板でもよいし、風冷強化や化学強化を施したガラス板を用いてもよい。また、光透過性を有する透光性セラミックス等により形成された板状の部材を用いてもよい。
このとき、基板として用いる部材の厚さは、１．５〜３ｍｍの範囲内であれば、特に限定しない。
【０１００】
（９）実施例１において、接合層２１４−１，２１４−２，２２４−１，２２４−２は、第１のガラス基板２１１、第２のガラス基板２２１に、それぞれ、第１及び第３の飛散防止層２１２，２１３、第４及び第２の飛散防止層２２２，２２３を接合し、一体的に積層するための層として示したが、これに限らず、例えば、ガラスビーズ等の拡散材を略均一に混合し拡散部としてもよい。また、透過型スクリーン２００の最出射側面近傍に設けられた接合層２２４−１に、紫外線吸収剤を混合して、外光に含まれる紫外線によるスクリーンの黄変防止を図ってもよい。
実施例２及び実施例３に示した接合層５１４−１，５１４−２，５２４−１，５２４−２，３１４−１，３１４−２もこれと同様である。
【０１０１】
（１０）実施例１及び実施例２において、接合層２１４−１，２１４−２，２２４−１，２２４−２，５１４−１，５１４−２は、紫外線を照射することにより硬化する紫外線硬化型のアクリル樹脂によって形成された、厚さ１００μｍの層である例を示し、実施例２及び実施例３において、接合層５２４−１，５２４−２，３１４−１，３１４−２は、圧力により粘着性が顕在化する感圧粘着型のアクリル樹脂により形成された厚さ２０μｍの層である例を示したが、これに限らず、アクリル酸エステル樹脂、フェノール系樹脂等により形成してもよく、特に限定しない。その接合方法は、例えば、熱硬化型、紫外線硬化型（ＵＶ硬化型）、電子線硬化型（ＥＢ硬化型）、熱可塑型、感圧粘着型（ＰＳＡ）等、特に限定しない。また、その厚さは５〜２００μｍの範囲内であれば、特に限定しない。
【図面の簡単な説明】
【０１０２】
【図１】本発明によるプリズムシートを用いた実施例１の透過型スクリーンを示した図である。
【図２】実施例１の透過型スクリーンを用いたリアプロジェクションテレビの断面図である。
【図３】本発明によるプリズムシートを用いた実施例１の透過型スクリーンの層構成を模式的に示した図である。
【図４】プリズム部の断面図である。
【図５】実施例１の透過型スクリーンにおけるプリズムシートの変形例の層構成を模式的に示した図である。
【図６】実施例１の透過型スクリーンにおけるレンチキュラーレンズシートの変形例の層構成を模式的に示した図である。
【図７】実施例１の透過型スクリーンにおけるレンチキュラーレンズシートの変形例の層構成を模式的に示した図である。
【図８】実施例１の透過型スクリーンにおけるレンチキュラーレンズシートの変形例の層構成を模式的に示した図である。
【図９】本発明によるプリズムシートを用いた実施例２の透過型スクリーンを示した図である。
【図１０】本発明によるプリズムシートを用いた実施例２の透過型スクリーンの変形例の層構成を模式的に示した図である。
【図１１】拡散光学要素の断面図である。
【図１２】実施例２の透過型スクリーンにおける拡散光学シートの変形例の層構成を模式的に示した図である。
【図１３】本発明によるプリズムシートを用いた実施例３の透過型スクリーンを示した図である。
【図１４】本発明によるプリズムシートを用いた実施例３の透過型スクリーンの層構成を模式的に示した図である。
【図１５】実施例３の透過型スクリーンの変形例の層構成を模式的に示した図である。
【図１６】実施例３の透過型スクリーンの変形例の層構成を模式的に示した図である。
【図１７】本発明によるプリズムシートを用いた透過型スクリーンの変形例の層構成を模式的に示した図である。
【符号の説明】
【０１０３】
２    リアプロジェクションテレビ
２２    光源部
３２    ミラー部
２００，３００，５００    透過型スクリーン
２１０，５１０    プリズムシート
２１１，５１１    第１のガラス基板
２１２，３１２，５１２    第１の飛散防止層
２１２ａ，３１２ａ，５１２ａ    プリズム部
２１２ｂ，３１２ｂ，５１２ｂ    プリズム基材部
２１３，５１３    第３の飛散防止層
２２０    レンチキュラーレンズシート
５２０    拡散光学シート
２２１，５２１    第２のガラス基板
２２２，５２２    第４の飛散防止層
２２３，３１３，５２３    第２の飛散防止層
２１４−１，２１４−２，２２４−１，２２４−２    接合層
５１４−１，５１４−２，５２４−１，５２４−２    接合層
３１４−１，３１４−２    接合層
３１１    ガラス基板
３１３    第２の飛散防止層
２４０    レンチキュラーレンズシート
２４１    プラスチック基板
２４２    レンチキュラーレンズ部
２４３    前面板
２４４    接合層
【図１】
2006208588.tif 000003
【図２】
2006208588.tif 000004
【図３】
2006208588.tif 000005
【図４】
2006208588.tif 000006
【図５】
2006208588.tif 000007
【図６】
2006208588.tif 000008
【図７】
2006208588.tif 000009
【図８】
2006208588.tif 000010
【図９】
2006208588.tif 000011
【図１０】
2006208588.tif 000012
【図１１】
2006208588.tif 000013
【図１２】
2006208588.tif 000014
【図１３】
2006208588.tif 000015
【図１４】
2006208588.tif 000016
【図１５】
2006208588.tif 000017
【図１６】
2006208588.tif 000018
【図１７】
2006208588.tif 000019